(57)【特許請求の範囲】
【請求項１】
吸気口と排気口を有し、内部に排気送風機を備えた排気ユニットの前記吸気口に連通し設けられ、室内に開口した吸込み口を有したフードの前記吸込み口から前記排気ユニットの前記吸気口に至る通風路を調理時換気用経路と全体換気用経路の二風路に分け、前記フードの前記吸込み口を前記調理時換気用経路に通じる調理時換気用吸込み口と、前記全体換気用経路に通じる全体換気用吸込み口とに分けて形成して、それぞれの吸込み口にフィルターを設け、前記調理時換気用経路と前記全体換気用経路のそれぞれに交互に開閉する調理時換気用ダンパーと全体換気用ダンパーとを設け、調理時換気用と全体換気用の排気送風機をそれぞれ個別に設けたものであって、全体換気用送風機は、その吹出し口を、前記フード下面に前記調理時換気用吸込み口側に向いて開口した誘導流用吐出し口に通じる誘導流用経路と、屋外への排気用経路との二方向に設け、前記誘導流用経路と前記排気用経路とのそれぞれに交互に開閉するダンパーを設けたことを特徴とするレンジフード。
【請求項２】
吸気口と排気口を有し、内部に排気送風機を備えた排気ユニットの前記吸気口に連通し設けられ、室内に開口した吸込み口を有したフードの前記吸込み口から前記排気ユニットの前記吸気口に至る通風路を調理時換気用経路と全体換気用経路の二風路に分け、前記フードの前記吸込み口を前記調理時換気用経路に通じる調理時換気用吸込み口と、前記全体換気用経路に通じる全体換気用吸込み口とに分けて形成して、それぞれの吸込み口にフィルターを設け、前記調理時換気用経路と前記全体換気用経路のそれぞれに交互に開閉する調理時換気用ダンパーと全体換気用ダンパーとを設けたものであって、調理時換気用の羽根と全体換気用の羽根を一体の両吸込みの羽根とし、それぞれの羽根の吸込み口に至る通風路の経路の途中にダンパーを設けたことを特徴とするレンジフード。
【請求項３】
調理時換気用経路には、フィルターに代えて、調理時換気用吸込み口に油煙を導く整流板と、吸込み口から吸込まれた油煙を衝突させて油を捕集する衝突板を設けたことを特徴とする請求項１または２に記載のレンジフード。
【請求項４】
調理時換気用の羽根を後向きブレードの羽根にした請求項１に記載のレンジフード。
【請求項５】
全体換気用吸込み口を調理時換気用吸込み口から離れたフード前面またはフード天面に設けた請求項１〜４のいずれかに記載のレンジフード。
【請求項６】
調理時換気用ダンパーと全体換気用ダンパーとに、それぞれを設けた経路の通風面積を調節する調節機構を設けた請求項１〜５のいずれかに記載のレンジフード。
【請求項７】
全体換気用経路のフィルター装着部に自動的にフィルターを掃除する掃除機構を設けた請求項１または２に記載のレンジフード。
【請求項８】
加熱調理器からの操作信号を受けて、調理時換気と全体換気の運転状態を変更する請求項１〜７のいずれかに記載のレンジフード。
【請求項９】
加熱調理器の温度を検知して、調理時換気と全体換気の運転状態を変更する請求項１〜７のいずれかに記載のレンジフード。
【請求項１０】
ＩＨ加熱調理器の磁界を検知して、調理時換気と全体換気の運転状態を変更する請求項１〜７のいずれかに記載のレンジフード。
【発明の詳細な説明】
【技術分野】
【０００１】
本発明は、調理時にレンジから上昇する油煙の排気と、調理時以外で厨房あるいは厨房に連通する部屋全体を換気する全体換気とをするレンジフードに関する。
【背景技術】
【０００２】
従来、この種のレンジフードとしては、調理時の吸込み口と全体換気時の吸込み口が同じものが知られている（例えば、特許文献１参照）。
【０００３】
以下、そのレンジフードについて図３を参照しながら説明する。
【０００４】
図に示すように、下面を開放した扁平薄箱状のフード体１０１の天板部１０２に排気手段１０３を設置し、その排気手段１０３を前方から立設された幕板１０４で隠し、下面開放部から一段奥張った位置に廃ガス突き当たり面として覆板１０５を設け、覆板１０５下方を加熱調理で発生した廃ガスの捕獲空間Ｓとし、その覆板１０５に複数の幅狭な吸引用空間Ｈを開孔し、その吸引用空間Ｈの直後に廃ガス衝突板手段１０６を設け、その廃ガス衝突板手段１０６を油の回収手段１０７に連絡して構成している。
【特許文献１】特開２００５−２２６９１５号公報（第６−７頁、第１図）
【発明の開示】
【発明が解決しようとする課題】
【０００５】
このような従来のレンジフードでは、調理時換気と全体換気を一つの吸込み口で行うため、フィルター搭載の機器ではフィルターには調理換気時に主に付着する油と全体換気時に主に付着する埃が混在して固着し、フィルターや衝突板を通過した油や埃は羽根にも混在して固着するため、掃除が面倒で時間がかかるという課題があり、掃除性を改善することが要求されている。
【０００６】
本発明は、このような従来の課題を解決するものであり、調理時と全体換気時でフィルターに付着する油と埃の成分を分離付着させて、掃除が容易なレンジフードを提供することを目的としている。
【０００７】
また、フィルターの掃除自体が面倒という課題があり、フィルターの掃除を不要とすることが要求されている。
【０００８】
本発明は、このような従来の課題を解決するものであり、調理時の油煙捕集用のフィルターをなくすことができ、また、全体換気時の埃を捕集するフィルターの掃除を不要とすることのできるレンジフードを提供することを目的としている。
【課題を解決するための手段】
【０００９】
本発明のレンジフードは上記目的を達成するために、吸気口と排気口を有し、内部に排気送風機を備えた排気ユニットの前記吸気口に連通し設けられ、室内に開口した吸込み口を有したフードの前記吸込み口から前記排気ユニットの前記吸気口に至る通風路を調理時換気用経路と全体換気用経路の二風路に分けたレンジフードであって、前記フードの前記吸込み口を前記調理時換気用経路に通じる調理時換気用吸込み口と、前記全体換気用経路に通じる全体換気用吸込み口とに分けて形成して、それぞれの吸込み口にフィルターを設け、前記調理時換気用経路と前記全体換気用経路のそれぞれに交互に開閉する調理時換気用ダンパーと全体換気用ダンパーとを設けたものである。
【００１０】
この手段により調理時に発生する油煙の油を主とした捕集と調理時を除く全体換気時の埃を主とした捕集を別々のフィルターで行うことでフィルターへの油と埃の混在した固着を防止でき、掃除の容易なレンジフードが得られる。
【００１１】
また、他の手段は、調理時換気用と全体換気用の排気送風機をそれぞれ個別に設けたものである。
【００１２】
これによりフィルターを通過した油や埃を別々の羽根へ付着させることで、羽根の掃除性を改善したレンジフードが得られる。
【００１３】
また、他の手段は、全体換気用送風機は、その吹出し口を、フード下面に調理時換気用吸込み口側に向いて開口した誘導流用吐出し口に通じる誘導流用経路と、屋外への排気用経路との二方向に設け、前記誘導流用経路と排気用経路とのそれぞれに交互に開閉するダンパーを設けたものである。
【００１４】
これにより、調理時には室内の空気を循環させ誘導流としてフードから吐出すことが可能となり、新たに羽根を追加することなく捕集性能の向上と結露の発生を軽減したレンジフードが得られる。
【００１５】
また、他の手段は、調理時換気用の羽根と全体換気用の羽根を一体の両吸込みの羽根とし、それぞれの羽根の吸込み口に至る通風路の経路の途中にダンパーを設けたものである。
【００１６】
これにより、調理時の換気と全体換気の羽根を一体とし、モーターを共用して部品点数を減らし、羽根に付着する油と埃を分離付着させることが可能なレンジフードが得られる。
【００１７】
また、他の手段は、調理時換気用経路には、フィルターに代えて、調理時換気用吸込み口に油煙を導く整流板と、吸込み口から吸込まれた油煙を衝突させて油を捕集する衝突板を設けたものである。
【００１８】
これにより油の捕集効率を保持したままフィルターをなくすことで掃除性を向上させ、羽根への汚れが付着しづらく長期間使用しても性能が低下しないレンジフードが得られる。
【００１９】
また、他の手段は、調理時換気用の羽根を後向きブレードの羽根にしたものである。
【００２０】
これにより、羽根に付着した油等は遠心力で飛ばされ、更に羽根に汚れが堆積しづらく、長期間使用しても性能が低下しないレンジフードが得られる。
【００２１】
また、他の手段は、全体換気用吸込み口を調理時換気用吸込み口から離れたフード前面またはフード天面に設けたものである。
【００２２】
これにより全体換気で埃を捕集するフィルターへの油の付着を防止してフィルターの掃除性を向上したレンジフードが得られる。
【００２３】
また、他の手段は、調理時換気用ダンパーと全体換気用ダンパーとに、それぞれを設けた経路の通風面積を調節する調節機構を設けたものである。
【００２４】
これにより調理時換気風量と全体換気風量が互いに影響を及ぼすことなく必要風量に調整可能なレンジフードが得られる。
【００２５】
また、他の手段は、全体換気用経路のフィルター装着部に自動的にフィルターを掃除する掃除機構を設けたものである。
【００２６】
これによりフィルターの掃除を不要としたレンジフードが得られる。
【００２７】
また、他の手段は、加熱調理器からの操作信号を受け、あるいは加熱調理気の温度を検知、あるいはＩＨ加熱調理気の磁界を検知して調理時換気と全体換気の運転状態を変更する機能を設けたものである。
【００２８】
これにより自動運転を可能として、調理換気運転で全体換気され、調理時換気用吸込み口に埃が付着することを防止できるレンジフードが得られる。
【発明の効果】
【００２９】
本発明によれば、調理時に発生する油煙の油を主とした捕集と、全体換気時の埃を主とした捕集を、別々のフィルターで行うことで、フィルターへの油と埃の混在した固着を防止でき、掃除の容易なレンジフードを提供できる。
【００３０】
また、フィルターを通過した油や埃を別々の羽根へ付着させることで、羽根の掃除性を改善したレンジフードを提供できる。
【００３１】
また、調理時換気用と全体換気用の羽根を一体化するとともに、モーターを共用して部品点数を減らしながら羽根に付着する油と埃を分離付着させることが可能なレンジフードを提供できる。
【００３２】
また、新たに羽根を追加することなく、フード下面に形成した誘導流用吐出し口によって捕集性能の向上と結露の発生を軽減したレンジフードを提供できる。
【００３３】
また、整流板と衝突板を調理時換気用吸込み口に設けることによって、油の捕集効率を保持したままフィルターをなくすことで掃除性を向上させ、羽根への汚れが付着しづらく長期間使用しても性能が低下しないレンジフードを提供できる。
【００３４】
また、羽根に付着した油等は遠心力で飛ばされ、更に羽根に汚れが堆積しづらく、長期間使用しても性能が低下しないレンジフードを提供できる。
【００３５】
また、調理時換気用吸込み口から離れたフード前面またはフード天面に全体換気用吸込み口を設けることによって、全体換気で埃を捕集するフィルターへの油の付着を防止してフィルターの掃除性を向上したレンジフードを提供できる。
【００３６】
また、調理時換気用ダンパーと全体換気用ダンパーとに、それぞれを設けた経路の通風面積を調整する調節機構を設けることによって、調理時換気風量と全体換気風量が互いに影響を及ぼすことなく必要風量に調整可能なレンジフードを提供できる。
【００３７】
また、フィルター部に設けた掃除機構によってフィルターの掃除を不要としたレンジフードを提供できる。
【００３８】
また、加熱調理器からの操作信号受信、あるいは加熱調理器の温度検知、あるいはＩＨ加熱調理器の磁界検知機能を設けることによって、調理時換気と全体換気の自動運転を可能として、調理換気運転で全体換気され、調理時換気用吸込み口に埃が付着することを防止できるレンジフードが得られる。
【発明を実施するための最良の形態】
【００４１】
本発明の請求項１記載の発明は、吸気口と排気口を有し、内部に排気送風機を備えた排気ユニットの前記吸気口に連通し設けられ、室内に開口した吸込み口を有したフードの前記吸込み口から前記排気ユニットの前記吸気口に至る通風路を調理時換気用経路と全体換気用経路の二風路に分け、前記フードの前記吸込み口を前記調理時換気用経路に通じる調理時換気用吸込み口と、前記全体換気用経路に通じる全体換気用吸込み口とに分けて形成して、それぞれの吸込み口にフィルターを設け、前記調理時換気用経路と前記全体換気用経路のそれぞれに交互に開閉する調理時換気用ダンパーと全体換気用ダンパーとを設け、調理時換気用と全体換気用の排気送風機をそれぞれ個別に設けたものであって、全体換気用送風機は、その吹出し口を、前記フード下面に前記調理時換気用吸込み口側に向いて開口した誘導流用吐出し口に通じる誘導流用経路と、屋外への排気用経路との二方向に設け、前記誘導流用経路と排気用経路とのそれぞれに交互に開閉する全体換気用ダンパーと誘導流用ダンパーを設けたものであり、調理時に発生する油煙は調理時換気用吸込み口に設置された調理時換気用フィルターで捕集し、部屋全体の換気では全体換気用吸込み口に設けた全体換気用フィルターで室内を浮遊している埃を捕集することが可能となり、フィルターへの油と埃の混在した固着を防止でき、フィルターの掃除が容易になるとともに、フィルターで捕集しきれずフィルターを通過した油や埃を別々の羽根へ付着させることで、羽根の掃除性が改善でき、かつ、全体換気時は室内に通じる経路に設置された誘導流用ダンパーを閉じ、屋外に通じる経路に設置された全体換気用ダンパーを開くことで室内の全体換気が出来、調理時換気では屋外に通じる経路に設置された全体換気用ダンパーを閉じ、室内に通じる経路の誘導流用ダンパーを開くことでフードに設けた誘導流用吐出し口から誘導流を吐出すことにより新たに誘導流用の羽根を追加することなく捕集性能の向上と結露の発生を軽減することが出来るという作用を有する。
【００４２】
また、請求項２記載の発明は、吸気口と排気口を有し、内部に排気送風機を備えた排気ユニットの前記吸気口に連通し設けられ、室内に開口した吸込み口を有したフードの前記吸込み口から前記排気ユニットの前記吸気口に至る通風路を調理時換気用経路と全体換気用経路の二風路に分け、前記フードの前記吸込み口を前記調理時換気用経路に通じる調理時換気用吸込み口と、前記全体換気用経路に通じる全体換気用吸込み口とに分けて形成して、それぞれの吸込み口にフィルターを設け、前記調理時換気用経路と前記全体換気用経路のそれぞれに交互に開閉する調理時換気用ダンパーと全体換気用ダンパーとを設けたものであって、調理時換気用の羽根と全体換気用の羽根を一体の両吸込みの羽根とし、それぞれの羽根の吸込み口に至る通風路の経路の途中に調理時換気用ダンパーと全体換気用ダンパーを設けたものであり、調理時に発生する油煙は調理時換気用吸込み口に設置された調理時換気用フィルターで捕集し、部屋全体の換気では全体換気用吸込み口に設けた全体換気用フィルターで室内を浮遊している埃を捕集することが可能となり、フィルターへの油と埃の混在した固着を防止でき、フィルターの掃除が容易になり、かつ、部品点数を減らし、調理時換気用と全体換気用の羽根やモーターを共用して一つにしながら羽根に付着する油と埃を分離付着させることで羽根の掃除性が改善できるという作用を有する。
【００４３】
また、請求項３記載の発明は、調理時換気用経路には、調理時換気用フィルターに代えて、調理時換気用吸込み口に油煙を導く整流板と、吸込み口から吸込まれた油煙を衝突させて油を捕集する衝突板を設けたものであり、調理時換気は油煙を含んだ空気が衝突板に衝突し向きを変える際に油煙が衝突板に付着することで、フィルターと同等の油捕集性能を確保しながらフィルターをなくすことで掃除性を向上させ、フィルターの目詰まりによる性能低下を防止することができる。
【００４４】
また、請求項４記載の発明は、調理時換気用の羽根を後向きブレードの羽根にしたものであり、調理時の油煙を含んだ空気や埃がフィルターや衝突板を通過した場合でも、油煙や埃は羽根に衝突した際に羽根に付着し捕集されるが、羽根が後ろ向きになっていることで付着した油や埃は羽根の外側に飛び散り、羽根への汚れが付着しづらく長期間使用しても性能が低下しないという作用を有する。
【００４５】
また、請求項５記載の発明は、全体換気用吸込み口を調理時換気用吸込み口から離れたフード前面またはフード天面に設けたものであり、調理時の油煙や油の飛散により、全体換気用吸込み口に設けた全体換気用フィルターへ油が付着することを防止してフィルターの掃除性を改善する作用を有する。
【００４６】
また、請求項６記載の発明は、調理時換気用ダンパーと全体換気用ダンパーとに、それぞれを設けた経路の通風面積を調節する調節機構を設けたものであり、排気用モーターを変更しないで調理時換気に必要な最適な風量に設定でき、全体換気風量については部屋の広さに対応した最適な風量を設定することが可能となり、それぞれの風量設定時に互いに設定の影響を及ぼすことなく必要風量に調整できるという作用を有する。
【００４７】
また、請求項７記載の発明は、全体換気用経路のフィルター装着部に自動的にフィルターを掃除する掃除機構を設けたものであり、定期的にフィルターの掃除をしなくても全体換気風量の性能低下を防止できるという作用を有する。
【００４８】
また、請求項８記載の発明は、加熱調理器からの操作信号を受けて、調理時換気と全体換気の運転状態を変更する機能を設けたものであり、加熱調理器の操作に連動してレンジフードを調理換気運転と全体換気運転に切り替えることができ、調理換気運転で全体換気され、調理時換気用吸込み口に埃の付着を防止できるという作用を有する。
【００４９】
また、請求項９記載の発明は、加熱調理気の温度を検知して、調理時換気と全体換気の運転状態を変更する機能を設けたものであり、加熱調理器の運転状況に応じてレンジフードを調理換気運転と全体換気運転に切り替えることができ、調理換気運転で全体換気され、調理時換気用吸込み口に埃の付着を防止できるという作用を有する。
【００５０】
また、請求項１０記載の発明は、ＩＨ加熱調理気の磁界を検知して、調理時換気と全体換気の運転状態を変更する機能を設けたものであり、加熱調理器の運転状況に応じてレンジフードを調理換気運転と全体換気運転に切り替えることができ、調理換気運転で全体換気され、調理時換気用吸込み口に埃が付着することを防止できるという作用を有する。
【００５１】
以下、本発明の実施の形態について図１および図２を参照しながら説明する。
【００５２】
（実施の形態１）
図１に示すように、下部に吸気口１と上部に排気口２を有し、内部に排気送風機３を備えた排気ユニット４の下方に、天面で排気ユニット４の吸気口１に連通し、下面が開口したフード１５が設けられている。排気送風機３はブレードの長い調理時換気用羽根９Ａとブレードの短い全体換気用羽根９Ｂとを一体とした両吸込みの羽根９と、この羽根９を固着して駆動する排気用モーター１３とからなる。フード１５内には調理時換気用羽根９Ａに至る調理時換気用経路５と、全体換気用羽根９Ｂに至る全体換気用経路６との二風路に仕切る仕切板１６を設け、調理時換気用経路５の調理時換気用吸込み口１１をフード１５の下面に、全体換気用経路６の全体換気用吸込み口１０を調理時換気用吸込み口１１から離れたフード１５の前側板に設けている。また、調理時換気用経路５内に調理時換気用ダンパー７を、全体換気用経路６内に全体換気用ダンパー８をそれぞれの調理時換気用経路５と全体換気用経路６を交互に開閉するように設けている。調理時換気用ダンパー７と全体換気用ダンパー８は、調理時換気用経路５と全体換気用経路６のそれぞれの風路開口面積を独立して調節する調節機構を有し、調理時と全体換気時の換気風量を変更可能としている。そして、調理時換気用吸込み口１１に調理時換気用フィルター１２を、全体換気用吸込み口１０に全体換気用フィルター１４を設けている。
【００５３】
上記構成において、レンジ（図示せず）から上昇する油煙を排出するときには、調理時換気用ダンパー７を開いて全体換気用ダンパー８を閉じて調理用に設けられた調理時換気用吸込み口１１に設けられた調理時換気用フィルター１２で捕集し、調理時換気用フィルター１２を通過した油は調理時換気用羽根９Ａに付着する。そして調理時換気用経路５は全体換気では使用せず、調理時換気用フィルター１２や調理時換気用羽根９Ａには全体換気時の埃が付着せず、調理時のみの埃となるため、埃の付着が軽減される。
【００５４】
また、調理時換気用ダンパー７で調理時換気用経路５の開口面積を調節して排気用モーター１３を変更しないで、調理時の換気に必要な最適な風量を全体換気風量に影響を及ぼすことなく設定できる。
【００５５】
次に、部屋全体の換気では、全体換気用吸込み口１０に設けた全体換気用フィルター１４で室内を浮遊している埃を捕集する。そして調理時の油煙や油の飛散によるフィルター１４への油の付着を防止できる。
【００５６】
また、全体換気風量についても、全体換気用ダンパー８で全体換気用経路６の開口面積を調節して、部屋の広さに対応した最適な風量に、調理時の換気風量に影響を及ぼすことなく調整できる。
【００５７】
このように実施の形態１の発明によれば、吸気口１と排気口２を有し、内部に排気送風機３を設けた排気ユニット４の吸気口１に連通し設けられるフード１５の吸込み経路を調理時換気用経路５と全体換気用経路６の二風路で形成し、調理時と全体換気時の吸込み口を分け、調理時換気用の羽根と全体換気用の羽根を一体の両吸込みの羽根９とし、風路途中に調理時換気用ダンパー７と全体換気用ダンパー８を設けたので、調理時に発生する油煙は調理時換気用吸込み口１１に設置された調理時換気用フィルター１２で捕集し、全体換気時の部屋全体の換気では全体換気用吸込み口１０に設けた全体換気用フィルター１４で室内を浮遊している埃を捕集することが可能となり、調理時換気用フィルター１２への油と埃の混在した固着を防止でき、調理時換気と全体換気の羽根を一体とし、モーターを共用しながら、羽根９に付着する油と埃を分離付着させることができるので、調理時換気用フィルター１２の掃除性と羽根９の掃除性の改善を図ることとなる。
【００５８】
また、全体換気用吸込み口１０を調理時排気用吸込み口１１から離れたフード１５の前側面に設けたので、調理時の油煙や油の飛散により、全体換気用吸込み口１０に設けた全体換気用フィルター１４へ油が付着することを防止して、全体換気用フィルター１４の掃除性を改善できることとなる。
【００５９】
また、風路を切り替える調理時換気用ダンパー７と全体換気用ダンパー８に風路を開口面積を調節する機構を設けることにより、調理時、全体換気時の換気風量を変更可能としたので、排気用モーター１３を変更しないで調理時換気に必要な最適な風量に設定でき、全体換気風量については部屋の広さに対応した最適な風量を設定することが可能となり、それぞれの風量設        定時に互いに設定の影響を及ぼすことなく必要風量に調整できることとなる。
【００６０】
（実施の形態２）
図２に示すように、実施の形態１に対し調理時換気用と全体換気用の排気送風機を、個別に調理時換気用送風機３Ａと全体換気用送風機３Ｂとして設け、また、実施の形態１における調理時換気用フィルターに代えて、レンジから上昇してくる油煙を受けて周囲に形成された調理時換気用吸込み口１１Ａに導く整流板１７を設け、調理時換気用吸込み口１１Ａに対向するフード１５Ａ内に衝突板１８を設けている。
【００６１】
また、調理時換気用送風機３Ａは、遠心力で風を送り出す後向きブレードの羽根１９を有した送風機としている。また、全体換気用送風機３Ｂは、全体換気用経路内に通風するように設けられ、その吹出し口をフード１５Ａ下面側に向く誘導流用経路６Ｂと、調理時換気用送風機３Ａの下流に連通する側に向く排気用経路６Ａとの二方向に設けており、誘導流経路６Ｂは、フード１５Ａ下面に調理時換気用吸込み口１１Ａ側に向いて開口した誘導流用吹出し口２１に連通するとともに、この経路を開閉する誘導流用ダンパー８Ｂを備え、排気用経路６Ａには、この経路を開閉する全体換気用ダンパー８Ａを備えている。なお、全体換気用吸込み口１０Ａは、調理時換気用吸込み口１１Ａから離れたフード１５Ａの天面側から、全体換気用送風機３Ｂの羽根２０に直接吸い込まれる位置に設け、細かい目の全体換気用フィルター１４Ａを備えている。そして、全体換気用吸込み口１０Ａに設けられる全体換気用フィルター１４Ａ部に自動的に全体換気用フィルター１４Ａを清掃する掃除機構２２を装着している。
【００６２】
また、フード１５Ａ前面に設けられたスイッチ２３にはレンジの操作信号を受信する受信部２４、コンロの温度や磁界を検知する温度検知部２５、磁界検知部２６を備えている。
【００６３】
上記構成において、レンジ（図示せず）から上昇する油煙を排出するときには、油煙を含んだ空気が衝突板１８に衝突し向きを変える際に油煙が衝突板１８に付着し、油を捕集することが可能となり、更に衝突板１８を通過した油煙や埃も羽根１９に衝突した際に羽根１９に付着し捕集されるが、羽根１９のブレードが後ろ向きになっていることで付着した油や埃は羽根１９の外側に飛び散らせることができる。
【００６４】
さらに全体換気時は、室内に通じる誘導流用経路６Ｂに設置された誘導流用ダンパー８Ｂを閉じ、排気用経路６Ａに設置された全体換気用ダンパー８Ａを開くことで室内の全体換気ができ、調理時換気では、排気用経路６Ａに設置された全体換気用ダンパー８Ａを閉じ、誘導流用経路６Ｂの誘導流用ダンパー８Ｂを開くことでフード１５Ａに設けた誘導流用吐出し口２１から誘導流を吐出すことができる。
【００６５】
また、レンジの運転に応じてレンジフードを調理時換気運転と全体換気運転に切り替えることができる。
【００６６】
このようなことから、定期的なフィルターの掃除をなくし、レンジフードを自動運転することでフィルターへの油と埃の付着を制御することができる。
【００６７】
このように実施の形態２の発明によれば、調理時換気用と全体換気用の排気送風機をそれぞれに個別に設け、調理時換気用経路５Ａには、衝突板１８と後向きブレードの羽根１９を設け、全体換気用吸込み口１０Ａには、細かい目の全体換気用フィルター１４Ａと羽根２０を組み合わせて備えたので、調理時換気は油煙を含んだ空気が衝突板１８に衝突し向きを変える際に油煙が衝突板１８に付着することで、フィルターと同等の油捕集性能を確保しながらフィルター機能をなくし掃除性を向上させ、フィルターの目詰まりによる性能低下という事態をなくすことができる。さらに衝突板１８を通過した油煙や埃は羽根１９に衝突した際に羽根１９に付着し捕集されるが、羽根１９のブレードが後ろ向きになっていることで、付着した油や埃は羽根１９の外側に飛び散り、羽根１９への汚れが付着しづらく長期間使用しても性能の低下を防止することとなる。
【００６８】
また、全体換気用送風機３Ｂを設け、その吐出し口を排気用経路６Ａ，誘導流経路６Ｂの二経路設け、それぞれに全体換気用ダンパー８Ａ，誘導流用ダンパー８Ｂを設けて、調理時換気と全体換気時でダンパーの開閉を切り替え、調理時には誘導流としてフード１５Ａの誘導流用吐出し口２１から吐出すことを可能としたので、全体換気時は室内に通じる経路に設置された誘導流用ダンパー８Ｂを閉じ、屋外に通じる経路に設置された全体換気用ダンパー８Ａを開くことで室内の全体換気ができ、調理時換気では屋外に通じる経路に設置された全体換気用ダンパー８Ａを閉じ、室内に通じる経路の誘導流用ダンパー８Ｂを開くことでフード１５Ａに設けた誘導流用吐出し口２１から誘導流を吐出すことにより、新たに誘導流用のファンを追加することなく捕集性能の向上と結露の発生を軽減することが可能となる。
【００６９】
また、全体換気用風路に設けるフィルター部に掃除機構２２を設けて自動的に全体換気用フィルター１４Ａを掃除可能としたので、定期的に全体換気用フィルター１４の掃除をしなくても目詰まりによる全体換気風量の性能低下の防止を図ることが可能となる。
【００７０】
また、フード１５Ａ前面に設けられたスイッチ２３にはレンジの操作信号を受信する受信部２４、コンロの温度や磁界を検知する温度検知部２５、磁界検知部２６を設けたので、レンジの運転に応じてレンジフードを調理時換気運転と全体換気運転に切り替え、自動運転可能としたので、調理時換気運転で全体換気され、調理時換気用吸込み口に埃が付着することを防止することが可能となる。
【産業上の利用可能性】
【００７１】
局所換気と全体換気で成分の異なる汚染空気を捕集して集塵する集塵装置の用途にも適用できる。
【図面の簡単な説明】
【００７２】
【図１】本発明の実施の形態１のレンジフードの構成図
【図２】本発明の実施の形態２のレンジフードの構成図
【図３】従来のレンジフードの断面図
【符号の説明】
【００７３】
１      吸気口
２      排気口
３      排気送風機
３Ａ    調理時換気用送風機
３Ｂ    全体換気用送風機
４      排気ユニット
５      調理時換気用経路
５Ａ    調理時換気用経路
６      全体換気用経路
６Ａ    排気用経路
６Ｂ    誘導流用経路
７      調理時換気用ダンパー
８      全体換気用ダンパー
８Ａ    全体換気用ダンパー
８Ｂ    誘導流用ダンパー
９      羽根
９Ａ    調理時換気用羽根
９Ｂ    全体換気用羽根
１０    全体換気用吸込み口
１０Ａ  全体換気用吸込み口
１１    調理時換気用吸込み口
１１Ａ  調理時換気用吸込み口
１２    調理時換気用フィルター
１４    全体換気用フィルター
１４Ａ  全体換気用フィルター
１５    フード
１５Ａ  フード
１７    整流板
１８    衝突板
１９    羽根
２１    誘導流用吐出し口
２２    掃除機構
【図１】
0004720556.tif 000002
【図２】
0004720556.tif 000003
【図３】
0004720556.tif 000004